(57)【要約】【課題】衛生洗浄装置において、開放式タンクにおけるタンク内の余剰水の排水性能を向上させるとともに、装置のコンパクト化を図る。【解決手段】人体の局部を洗浄する衛生洗浄装置２であって、吐水ノズル１５と、給水源２０から供給された水を吐水ノズル１５に供給する給水経路に設けられた開放式タンク４０と、を備え、開放式タンク４０は、タンク本体４１と、タンク本体４１内に水を流入させる流入口部４２と、吐水ノズル１５に対してタンク本体４１内の水を流出させる流出口部４３と、流入口部４２とタンク本体４１内の水面との間にエアギャップが形成されるように設けられ、タンク本体４１内の余剰水を外部へ排出するための第１排出口８１および第２排出口８２と、を有し、第２排出口８２は、上方に向けて開口している。【選択図】図１０
2020051211.tif 000002
【特許請求の範囲】
【請求項１】
人体の局部を洗浄する衛生洗浄装置であって、
人体の局部を洗浄するための水を吐出する吐水ノズルと、
給水源から供給された水を前記吐水ノズルに供給する給水経路に設けられた開放式タンクと、を備え、
前記開放式タンクは、
タンク本体と、
前記タンク本体内に水を流入させる流入口部と、
前記吐水ノズルに対して前記タンク本体内の水を流出させる流出口部と、
前記流入口部と前記タンク本体内の水面との間にエアギャップが形成されるように設けられ、前記タンク本体内の余剰水を外部へ排出するための第１排出口および第２排出口と、を有し、
前記第２排出口は、上方に向けて開口している
ことを特徴とする衛生洗浄装置。
【請求項２】
前記第１排出口は、上方に向けて開口している
ことを特徴とする請求項１に記載の衛生洗浄装置。
【請求項３】
前記第２排出口の開口位置の高さは、前記第１排出口の開口位置の高さよりも低い
ことを特徴とする請求項１または請求項２に記載の衛生洗浄装置。
【請求項４】
前記タンク本体は、
前記流入口部と、前記第１排出口および前記第２排出口との間に設けられた整流部を有する
ことを特徴とする請求項１〜３のいずれか１項に記載の衛生洗浄装置。
【請求項５】
前記第２排出口は、前記タンク本体の底部に立設された筒状の部分を有する
ことを特徴とする請求項１〜４のいずれか１項に記載の衛生洗浄装置。
【発明の詳細な説明】
【技術分野】
【０００１】
本発明は、洗浄水により人体の局部を洗浄する衛生洗浄装置に関する。
【背景技術】
【０００２】
従来、例えば洋式腰掛便器等の便器に搭載され、吐水ノズルから吐出される洗浄水によって人体の局部を洗浄する衛生洗浄装置には、給水源から吐水ノズルまでの洗浄水の供給経路に開放式タンクを備えた構成のものがある。開放式タンクは、洗浄水の供給経路において、逆流防止用のエアギャップを形成する機能を有する（例えば、特許文献１参照。）。
【０００３】
特許文献１に記載されているように、開放式タンクには、タンク内の余剰水を外部へ排出するためのオーバーフロー部を有するものがある。タンク内に設けられるオーバーフロー部としては、例えば、特許文献２に開示されているように、タンクの底面部に立設された筒状の排水管部を備えた構成が採用される。
【０００４】
具体的には、オーバーフロー部を構成する排水管部は、タンク内において上方に向けて開口するとともに下側をタンクの外側に開口させ、タンクの内外を連通させている。このような構成においては、排水管部の上方の開口位置がオーバーフロー水位となり、タンク内の水位がオーバーフロー水位を超えると、タンク内の洗浄水が排水管部の上方開口から流入してタンク外に排出されることになる。オーバーフロー部により排出される洗浄水は、基本的には便器のボウル部に排出される。
【先行技術文献】
【特許文献】
【０００５】
【特許文献１】特開２０１４−１９００００号公報
【特許文献２】特開２００５−１９２９９５号公報
【発明の概要】
【発明が解決しようとする課題】
【０００６】
上述したようなオーバーフロー部の構成において、タンク内の余剰水の排水性能を向上させようとした場合、排水管部の上方開口の開口面積や管径を大きくすることが考えられる。また、オーバーフロー部に対しては、オーバーフロー部により排出される洗浄水を便器のボウル部に導くための排水用の配管が設けられる。かかる配管については、オーバーフロー部の排水性能の向上に際し、排水管部の上方開口の開口面積や管径が配管における流路面積として保持されることが望ましい。
【０００７】
しかしながら、排水用の配管の流路面積を大きくすることは、衛生洗浄装置における開放式タンクの配設位置や、開放式タンクにおけるオーバーフロー部の配設位置等によっては、装置のコンパクト化の妨げとなる。具体的には、例えば、便器の上面後端部に開放式タンクが配設される構成においては、排水用の配管は、開放式タンクのオーバーフロー部から前側のボウル部近傍まで延設されることになる。
【０００８】
このため、排水用の配管において相当程度の流路面積を確保しようとした場合、衛生洗浄装置において開放式タンクの前側等に配設される各種装置・機器等に対する配管の干渉を避ける観点から、装置のコンパクト化が困難となる。つまり、開放式タンクのオーバーフロー部の排水性能の向上と装置のコンパクト化の両立は難しい。
【０００９】
本発明は、開放式タンクにおいてタンク内の余剰水の排水性能を向上させることができるとともに、装置のコンパクト化を図ることができる衛生洗浄装置を提供することを目的とする。
【課題を解決するための手段】
【００１０】
本発明に係る衛生洗浄装置は、人体の局部を洗浄する衛生洗浄装置であって、人体の局部を洗浄するための水を吐出する吐水ノズルと、給水源から供給された水を前記吐水ノズルに供給する給水経路に設けられた開放式タンクと、を備え、前記開放式タンクは、タンク本体と、前記タンク本体内に水を流入させる流入口部と、前記吐水ノズルに対して前記タンク本体内の水を流出させる流出口部と、前記流入口部と前記タンク本体内の水面との間にエアギャップが形成されるように設けられ、前記タンク本体内の余剰水を外部へ排出するための第１排出口および第２排出口と、を有し、前記第２排出口は、上方に向けて開口しているものである。
【００１１】
このような構成の衛生洗浄装置によれば、開放式タンクにおいてタンク内の余剰水の排水性能を向上させることができるとともに、装置のコンパクト化を図ることができる。
【００１２】
本発明に係る衛生洗浄装置の他の態様は、前記衛生洗浄装置において、前記第１排出口は、上方に向けて開口しているものである。
【００１３】
このような構成の衛生洗浄装置によれば、開放式タンクにおいてタンク内の余剰水の排水性能をより向上させることができるとともに、装置のコンパクト化をより図ることができる。
【００１４】
本発明に係る衛生洗浄装置の他の態様は、前記衛生洗浄装置において、前記第２排出口の開口位置の高さは、前記第１排出口の開口位置の高さよりも低いものである。
【００１５】
このような構成の衛生洗浄装置によれば、タンク内の水位の上昇に関し、第１段階として先に第２排出口からの排水が行われるので、比較的小さい水位の変動によって一度に大量の水が余剰水としてタンク外に排出されることを防止することができる。
【００１６】
本発明に係る衛生洗浄装置の他の態様は、前記衛生洗浄装置において、前記タンク本体は、前記流入口部と、前記第１排出口および前記第２排出口との間に設けられた整流部を有するものである。
【００１７】
このような構成の衛生洗浄装置によれば、流入口部からタンク本体内に流入する水が整流部によって整流されることから、タンク本体内の水位を安定させることができる。
【００１８】
本発明に係る衛生洗浄装置の他の態様は、前記衛生洗浄装置において、前記第２排出口は、前記タンク本体の底部に立設された筒状の部分を有するものである。
【００１９】
このような構成の衛生洗浄装置によれば、排水性能の確保が容易となるとともに、開放式タンクの小型化を図ることができる。
【発明の効果】
【００２０】
本発明によれば、開放式タンクにおいてタンク内の余剰水の排水性能を向上させることができるとともに、装置のコンパクト化を図ることができる。
【図面の簡単な説明】
【００２１】
【図１】本発明の一実施形態に係る衛生洗浄装置を備えたトイレ装置を示す斜視図である。
【図２】本発明の一実施形態に係る衛生洗浄装置の流路構成および制御構成を示すブロック図である。
【図３】本発明の一実施形態に係る衛生洗浄装置における開放式タンク等の配置構成を示す平面図である。
【図４】本発明の一実施形態に係る開放式タンクの正面斜視図である。
【図５】本発明の一実施形態に係る開放式タンクの底面斜視図である。
【図６】本発明の一実施形態に係る開放式タンクの正面図である。
【図７】本発明の一実施形態に係る開放式タンクの平面図である。
【図８】図７におけるＡ−Ａ矢視断面図である。
【図９】図７におけるＢ−Ｂ矢視断面図である。
【図１０】本発明の一実施形態に係る開放式タンクの蓋部材を取り外した状態を示す斜視図である。
【図１１】本発明の一実施形態に係る開放式タンクの蓋部材を示す斜視図である。
【図１２】本発明の一実施形態に係る開放式タンクの内部構造を示す平面図である。
【発明を実施するための形態】
【００２２】
本発明は、給水源から吐水ノズルまでの洗浄水の供給経路に、逆流防止用のエアギャップを形成する開放式タンクを備えた構成において、開放式タンクのタンク内の余剰水を排出するための構成を工夫することにより、タンク内の余剰水の排水性能の向上と装置のコンパクト化の両立を図ろうとするものである。以下、本発明の実施の形態について図面を参照して説明する。本実施形態では、衛生洗浄装置がトイレ装置において洋式腰掛便器の上に設置された構成を例にとって説明する。
【００２３】
図１に示すように、本実施形態に係るトイレ装置１は、人体（使用者）の局部を洗浄する衛生洗浄装置２と、洋式腰掛便器である便器３とを備える。衛生洗浄装置２は、トイレ装置１において、便器３の上に設置された状態で設けられている。衛生洗浄装置２は、便器３に対して着脱可能に取り付けられた構成であってもよく、便器３と一体的に設けられた構成であってもよい。
【００２４】
便器３は、上側を開放側とした凹状のボウル部３ａを有する。便器３は、ボウル部３ａにおいてトイレ装置１の使用者の尿や便などの排泄物を受ける。
【００２５】
衛生洗浄装置２は、筐体をなすケーシング５内に各種の装置構成を内蔵した装置本体部４と、装置本体部４のケーシング５に対して回動可能に支持された便座６および便蓋７とを有する。衛生洗浄装置２は、便器３に対して、装置本体部４をボウル部３ａの後方の上側に位置させ、便座６および便蓋７の回動動作によってボウル部３ａの上側の開放部を開閉するように設けられる。
【００２６】
衛生洗浄装置２について、図２および図３を参照して説明する。衛生洗浄装置２のケーシング５は、ベースプレート５ａと、ベースプレート５ａを上側から覆うケースカバー５ｂ（図１参照）とを有する。ベースプレート５ａ上に、ケーシング５に内蔵される各種の装置構成が設置される。ベースプレート５ａは、略水平板状の底面部５ｃと、底面部５ｃの周縁に沿って適宜形成された側壁部とを含む。
【００２７】
図２に示すように、衛生洗浄装置２は、制御部１０と、操作部１１と、着座検知センサ１２と、人体検知センサ１３と、洗浄水供給部１４と、吐水ノズル１５とを有する。なお、図２は、洗浄水の供給経路の構成と制御部１０による制御構成を併せて示している。
【００２８】
制御部１０は、洗浄水供給部１４等の各部の動作を制御する。制御部１０は、例えば、操作部１１に対する操作に基づく操作部１１からの入力信号に応じて、衛生洗浄装置２の各部の動作を制御する。操作部１１は、衛生洗浄装置２の装置本体部４に設けてられてもよいし、装置本体部４とは別に設けられてもよい。操作部１１は、例えばリモートコントローラとして設けられる。また、制御部１０と操作部１１との間の通信方式は、有線であっても無線であってもよい。
【００２９】
着座検知センサ１２は、使用者の着座として、便座６に着座する直前の使用者や便座６に着座した状態の使用者を検知する。着座検知センサ１２は、その検知信号を制御部１０に対して出力する。着座検知センサ１２は、例えば、赤外線投受光式の測距センサや、便座６に着座した使用者の荷重を検知するスイッチである。
【００３０】
人体検知センサ１３は、トイレ装置１が設置されたトイレルーム内に入室した使用者を検知する。人体検知センサ１３は、その検知信号を制御部１０に対して出力する。人体検知センサ１３は、例えば、赤外線信号を利用した焦電センサや、マイクロ波を用いたマイクロ波ドップラセンサ等の電波センサである。
【００３１】
洗浄水供給部１４は、水道や貯水タンク等の所定の給水源２０から吐水ノズル１５を含む複数の吐水部への流路を構成し、給水源２０から供給された洗浄水（水）を複数の吐水部に対して選択的に供給する。洗浄水供給部１４は、給水源２０に接続された止水栓２１と、給水バルブユニット２２と、開放式タンク４０と、洗浄用ポンプ２４と、熱交換器２５と、流路切替弁２６とを有する。
【００３２】
止水栓２１は、電磁弁であり、洗浄水供給部１４の上流側において、洗浄水供給部１４に供給される水の流路を開閉する。つまり、止水栓２１は、その開閉動作によって、給水源２０から供給される洗浄水の給水と止水とを切り替える流路開閉弁である。止水栓２１は、制御部１０に接続されており、制御部１０からの制御信号に基づいて開閉動作する。止水栓２１は、可撓性を有するフレキホース２１ａを含む流路構成により、給水バルブユニット２２に接続されている。
【００３３】
給水バルブユニット２２は、上流側への水の逆流を防ぐ逆止弁２２ａと、水中の異物を捕捉するストレーナ２２ｂと、給水圧にかかわらず水の流量を一定に保つ定流量弁２２ｃと、通電により開弁して下流側への通水／止水を選択的に切り替える電磁弁２２ｄとを有する。電磁弁２２ｄは、制御部１０に接続されており、制御部１０からの制御信号に基づいて開閉動作する。
【００３４】
開放式タンク４０は、給水源２０から供給された水を吐水ノズル１５に供給する給水経路に設けられている。本実施形態では、開放式タンク４０は、給水バルブユニット２２の下流側に設けられている。給水バルブユニット２２を経た水は、流入配管２８を介して開放式タンク４０内に流入する。開放式タンク４０は、流入配管２８から流入した水を内部に貯溜する。
【００３５】
開放式タンク４０は、内部にエアギャップを形成することにより、洗浄水供給部１４において、開放式タンク４０内の水と開放式タンク４０の上流側（流入側）とを縁切りさせ、開放式タンク４０内と開放式タンク４０の上流側とを物理的に遮断する。これにより、吐水ノズル１５内の洗浄水やボウル部３ａ内汚水等が開放式タンク４０よりも上流側に逆流することが防止される。
【００３６】
開放式タンク４０内の水は、流出配管２９に流出する。開放式タンク４０の下流側には、流出配管２９に設けられたストレーナ３０（図３参照）を介して、洗浄用ポンプ２４が設けられている。洗浄用ポンプ２４は、ポンプ本体部２４ａと、駆動部としてのモータ部２４ｂとを有し（図３参照）、開放式タンク４０内の水を吸い出して開放式タンクの下流側へと供給する。洗浄用ポンプ２４は、制御部１０に接続されており、洗浄用ポンプ２４の駆動動作は、制御部１０からの制御信号に基づいて制御される。
【００３７】
洗浄用ポンプ２４の下流側には、加熱部として機能する熱交換器２５が設けられている。熱交換器２５は、熱源としてのヒータを有し、ヒータにより、洗浄用ポンプ２４から供給される水を加熱して温水とする。熱交換器２５により得られる温水の温度は、例えば、制御部１０を介して、操作部１１において使用者によって設定される。熱交換器２５は、例えば熱源としてセラミックヒータ等を有する瞬間加熱式のものでもよいし、熱源としてシーズヒータ等を有するとともに貯湯タンクを用いた貯湯加熱式のものでもよい。また、加熱部としては、熱交換器に限らず、例えば、マイクロ波を利用したもの等、他の加熱方式を用いたものでもよい。
【００３８】
洗浄用ポンプ２４の下流側には、流路切替弁２６が設けられている。流路切替弁２６により、洗浄水の供給先となる複数の吐水部に対する流路の切替えが行われる。洗浄水の供給先には、吐水ノズル１５が含まれる。流路切替弁２６は、制御部１０に接続されており、流路切替弁２６の動作は、制御部１０からの制御信号に基づいて制御される。なお、衛生洗浄装置２は、洗浄水の供給先として、例えば、所定の吐水口から洗浄水を吐出することにより吐水ノズル１５の外面の洗浄（胴体洗浄）を行うノズル洗浄室や、所定の噴霧口から便器３のボウル部３ａの表面に洗浄水を噴霧する噴霧ノズル等を有する。
【００３９】
吐水ノズル１５は、人体の局部を洗浄するための水（洗浄水）を吐出する。吐水ノズル１５は、洗浄水を吐出する複数の吐水孔１５ａを有する。吐水孔１５ａは、例えば、おしり洗浄用のおしり洗浄吐水孔およびおしりソフト吐水孔、並びにビデ洗浄用のビデ洗浄吐水孔である。
【００４０】
吐水ノズル１５は、電動モータ等で構成されたノズル駆動装置１６により、装置本体部４から便器３のボウル部３ａ内に対して進退可能に設けられている（図３、矢印Ａ１参照）。吐水ノズル１５の動作は、制御部１０に接続されたノズル駆動装置１６を介して、制御部１０により制御される。吐水ノズル１５は、トイレ装置１の使用者によるスイッチ操作等に応じて、ボウル部３ａ内に伸び出て吐水孔１５ａから洗浄水を噴射する。
【００４１】
吐水ノズル１５においては、各吐水孔１５ａに連通する流路が形成されている。これらの流路は、流路切替弁２６から各吐水孔１５ａに連通する人体洗浄用給水流路の一部を構成する。上記の例にならうと、衛生洗浄装置２は、人体洗浄用給水流路として、おしり洗浄吐水孔、おしりソフト吐水孔およびビデ洗浄吐水孔の各吐水孔に連通する洗浄流路を有する。
【００４２】
流路切替弁２６により、吐水ノズル１５の複数の吐水孔１５ａへの流路（給水流路）に対して水を供給する流路が切り替えられる。各吐水孔１５ａに供給された洗浄水は、吐水孔１５ａから上方へ向けて吐出され、便座６に着座した状態の使用者の局部洗浄等に用いられる。なお、流路切替弁２６により切り替えられる流路には、ノズル洗浄室の吐水口に連通する流路や、噴霧ノズルの噴霧口に連通する流路等が含まれる。
【００４３】
図３に、ケーシング５内における開放式タンク４０等の配置構成の一例を示す。図３に示すように、本実施形態に係る衛生洗浄装置２において、開放式タンク４０は、ケーシング５を構成するベースプレート５ａ上において、後端部に配置されている。
【００４４】
開放式タンク４０は、後述するように全体として細長い略直方体状の外形を有する。開放式タンク４０は、平面視において、長手方向を左右方向として、平面視で略矩形状をなすベースプレート５ａの後縁部に沿うように設けられている。ベースプレート５ａの後縁部において、開放式タンク４０は、左右中央に対して左寄りの位置に設けられている。
【００４５】
また、ベースプレート５ａの右後角部に、開放式タンク４０から洗浄用ポンプ２４までの流路に配置されたストレーナ３０が設けられており、ストレーナ３０の直前方に、洗浄用ポンプ２４が設けられている。つまり、洗浄用ポンプ２４は、ベースプレート５ａ上における右端部の後寄りの位置に設けられている。洗浄用ポンプ２４は、モータ部２４ｂを前側とする向きで設けられている。
【００４６】
ベースプレート５ａ上において、前縁部の左右中央位置に、吐水ノズル１５が設けられている。具体的には、ベースプレート５ａは、前縁部の左右の中間部に、便器３のボウル部３ａの平面視形状に対応するように平面視で後側に凸の円弧状をなす円弧部５ｄを有する。この円弧部５ｄの左右中央部に、吐水ノズル１５が、平面視でその長手方向を前後方向（進退方向）として設けられている。吐水ノズル１５は、通常、その先端部を円弧部５ｄの左右中央部の後側に位置させており、洗浄水を吐水する際に、円弧部５ｄの左右中央部から前方に突出する。なお、円弧部５ｄの左右中央部は、ベースプレート５ａにおいて側壁部の非形成部位である開放部５ｈとなっている。
【００４７】
また、ベースプレート５ａ上において、開放式タンク４０の前方に、熱交換器２５が設けられている。熱交換器２５は、吐水ノズル１５の左方に位置する。熱交換器２５と吐水ノズル１５との間に、流路切替弁２６が設けられている。
【００４８】
以上のような構成を備えた衛生洗浄装置２において、開放式タンク４０内に貯溜されている水が、洗浄用ポンプ２４によって吐水ノズル１５へと供給され、吐水ノズル１５の吐水孔１５ａから吐出される。使用者は、開放式タンク４０から吸い出される水の量を、操作部１１の操作等によって調整することができる。
【００４９】
したがって、例えば、流入配管２８から開放式タンク４０に供給される水の量に対し、洗浄用ポンプ２４によって開放式タンク４０から流出する水の量が少ない場合は、開放式タンク４０内に余剰水が生じる。この開放式タンク４０内の余剰水を外部へ排出するため、開放式タンク４０は、オーバーフロー部を有する。オーバーフロー部により排出される水は、後述するように便器３のボウル部３ａ内に排出される。
【００５０】
本実施形態に係る開放式タンク４０について、図４から図１２を参照して説明する。図４から図１２に示すように、本実施形態に係る開放式タンク４０は、全体として細長い略直方体状の外形のタンク本体４１を有し、タンク本体４１の長手方向を左右方向として、ケーシング５内の後部に設けられている。なお、図１および図４に示すように、開放式タンク４０における前後・左右・上下方向は、トイレ装置１における前後・左右・上下方向に対応している。
【００５１】
開放式タンク４０は、洗浄水の貯溜空間４１ａをなすタンク本体４１と、タンク本体４１内に水を流入させる流入口部４２と、吐水ノズル１５に対してタンク本体４１内の水を流出させる流出口部４３とを有する。流入口部４２には、流入配管２８の下流側が連通接続されており、流出口部４３には、流出配管２９の上流側が連通接続されている。すなわち、流入配管２８から流入口部４２を介してタンク本体４１内に洗浄水が流入し、タンク本体４１内の洗浄水は、流出口部４３を介して流出配管２９へと流出する。
【００５２】
タンク本体４１は、その大部分をなす下ケース部４５と、タンク本体４１の上面部を構成する蓋部４６とを有する。下ケース部４５および蓋部４６により、タンク本体４１の外形が構成されている。下ケース部４５に流出口部４３が設けられており、蓋部４６に流入口部４２が設けられている。
【００５３】
下ケース部４５は、上面側を開放させた左右に細長い箱状のケース部材５１により構成されている（図１０参照）。蓋部４６は、全体としてケース部材５１の開口形状に対応した板状の蓋部材５２により構成されている（図１１参照）。図１０は、タンク本体４１において蓋部材５２を取り外した状態を示しており、図１１は、蓋部材５２の下面側からの斜視図を示している。ケース部材５１および蓋部材５２は、いずれも樹脂製の部材である。ただし、タンク本体４１を構成する部材は、樹脂製のものに限らず、例えば金属製の部材であってもよい。
【００５４】
下ケース部４５は、水平面状の底面部４７と、底面部４７の周囲に沿って垂直状に設けられた側壁部４８とを有する。側壁部４８は、左右方向を長手方向として互いに対向した前壁面部４８ａおよび後壁面部４８ｂと、左側を凸側とした半円筒面状の左壁面部４８ｃと、右壁面部４８ｄとを有する。側壁部４８は、平面視において略長方形状の閉形状をなし、上方の開口端面となる上端面４８ｅを略水平面に沿わせている。また、側壁部４８は、右前側の角部分において、平面視で面取形状をなす傾斜状の面取壁面部４８ｆを有する。
【００５５】
下ケース部４５は、右側の略１／３の部分における上側の部分を、他の部分に対してわずかに開口幅（前後方向の開口寸法）が広い幅広部４５ａとしている。一方、下ケース部４５は、左側の端部に、他の部分に対して貯溜空間４１ａの深さを深くする深底部４５ｂを有する。深底部４５ｂは、下ケース部４５の外形をなすとともに、下ケース部４５の左側の端部を下側に向けて略筒状に突出させた底側突部４９を有する。このため、底面部４７は、深底部４５ｂ以外の部分における第１底面部４７ａと、第１底面部４７ａに対して段下がりの面部であって底側突部４９の底部をなす第２底面部４７ｂとを有する。
【００５６】
深底部４５ｂにおいては、底側突部４９が下側に突出している分、貯溜空間４１ａの深さが他の部分に対して深くなっている。なお、底側突部４９の周壁部のうち、左側の部分は、側壁部４８の左壁面部４８ｃの下方への延設部分であり、右側の部分は、略半円筒状の周壁部４９ａとなっている。
【００５７】
蓋部４６は、下ケース部４５の平面視形状、つまり下ケース部４５の上方の開口形状に沿う外形を有する。蓋部４６は、下ケース部４５の上方の開口を塞ぐ蓋本体部をなす部分として、水平面状の本体面部５３と、本体面部５３の周囲に沿って下側に向けて垂直状に設けられた周壁部５４とを有する。
【００５８】
蓋部４６は、蓋本体部の平面視形状として、幅広部４５ａを有する下ケース部４５の開口形状に対応した形状を有する。蓋部４６は、本体面部５３によって下ケース部４５の上方開口を塞ぐとともに、周壁部５４により下ケース部４５の上端部を外側から覆うように、下ケース部４５に対して上側から被さる態様で設けられている。
【００５９】
蓋部４６は、蓋本体部の周囲において所定の間隔で複数箇所に設けられた係合部５５により、下ケース部４５に固定されている。本実施形態では、係合部５５は、蓋部４６の前側に３箇所、後側に３箇所、左側に１箇所、計７箇所に設けられている。係合部５５は、弾性変形を利用したいわゆるスナップフィット方式を採用したものであり、蓋部４６の周壁部５４から下方に向けて突出するとともに開口部をなす係合突片部５５ａと、下ケース部４５の側壁部４８の上端部の外側に設けられ係合突片部５５ａの開口部に嵌る係合突起５５ｂとの係合構造を有する。
【００６０】
また、蓋部４６をなす蓋部材５２と、下ケース部４５をなすケース部材５１との間には、シール部材としてのパッキン５６が介装されている。パッキン５６は、蓋部材５２において、周壁部５４と、周壁部５４に沿って周壁部５４の内側に設けられた内側壁部５７とにより形成された溝部５８に嵌め込まれている。
【００６１】
このような構成において、ケース部材５１および蓋部材５２は、ケース部材５１の側壁部４８の上端部を蓋部材５２の溝部５８に嵌合させパッキン５６を挟持するとともに、複数箇所の係合部５５による係合作用により、水密状に互いに固定され、タンク本体４１を構成する。
【００６２】
また、タンク本体４１においては、下ケース部４５の右側の前下側の角部に、開放式タンク４０の下流側の流路において配管径を切り替えるための配管径切替部６０が設けられている。配管径切替部６０は、接続を受ける配管の径を互いに異にする上流側接続管部６０ａおよび下流側接続管部６０ｂを有する。上流側接続管部６０ａおよび下流側接続管部６０ｂは、下ケース部４５から突設された中空状の基部６０ｃから突出した筒状の部分であり、基部６０ｃ内の中空部を介して互いに連通している。本実施形態では、配管径切替部６０は、洗浄用ポンプ２４と熱交換器２５との間の流路において用いられる。
【００６３】
また、下ケース部４５の右側の後側には、タンク本体４１をベースプレート５ａにボルト等の固定具により固定するための固定用の突片６１が設けられている。また、蓋部４６における左右略中央部には、貯溜空間４１ａ内にスケール除去剤等の薬剤を投入するための薬剤投入口６２が設けられている。薬剤投入口６２は、上方に開口するとともに貯溜空間４１ａ内に臨む開口部をなし、本体面部５３の裏面側に突出状に設けられており、薬剤を案内するためのスロープ等の所定のガイド面を有する。
【００６４】
流入口部４２は、蓋部４６の上側における右端に、上側に突出した部分として設けられている。流入口部４２は、蓋部材５２に対して流入口形成部材６５を取り付けることにより構成されている。蓋部材５２は、本体面部５３を貫通するように形成されるとともに貯溜空間４１ａに対する流路を形成する流入口形成部６６を有する。流入口形成部６６は、流入口形成部材６５の取付けを受ける部分として、上側を開放側とした箱状の部分である嵌合口部６６ａを有する。
【００６５】
流入口形成部材６５は、下側を開放側としたドーム状のキャップ部６５ａを有する。流入口形成部材６５は、キャップ部６５ａを、流入口形成部６６の嵌合口部６６ａ内に嵌め込んだ状態で設けられ、流入口形成部６６とともに貯溜空間４１ａの上側に貯溜空間４１ａに連通した流入側中空部６７を形成する（図８参照）。流入口形成部材６５は、スナップフィット方式を採用した前後２箇所の係合部６６ｂによって嵌合口部６６ａに固定されている。係合部６６ｂは、嵌合口部６６ａの前後の壁部から上方に向けて突出するとともに開口部をなす係合突片部と、キャップ部６５ａの前後面に設けられ係合突片部の開口部に嵌る係合突起との係合構造を有する。
【００６６】
流入口形成部材６５のキャップ部６５ａの上側には、流入配管２８の下流側の接続を受ける部分として、筒状の接続管部６５ｂが設けられている。接続管部６５ｂは、正面視においてキャップ部６５ａの中央部から左下がりに下る直線状の管路を形成し、左斜め下側に向けて開口している。また、流入口形成部材６５においては、接続管部６５ｂの管路の基端側に連通するように、突出管部６５ｃが設けられている（図８参照）。突出管部６５ｃは、キャップ部６５ａの中央部から流入側中空部６７内に臨むように下方に向けて筒状に突設されており、上下方向に沿う直線状の管路を形成している。接続管部６５ｂおよび突出管部６５ｃにより、鋭角状に屈曲した入水流路６５ｄが形成されている。
【００６７】
流入口形成部６６において、嵌合口部６６ａの下側には、洗浄水を貯溜空間４１ａ内に導くガイド流路６９を形成するガイド流路形成部７０が設けられている。ガイド流路６９は、流入側中空部６７に対して下側に連続した空間部分であって、流入側中空部６７と貯溜空間４１ａとの間の流路である。ガイド流路形成部７０は、その下部を本体面部５３より下側に略箱状に突出させており、本体面部５３等とともに、貯溜空間４１ａ内に臨んで開口した流入開口部７０ａを形成している。本実施形態では、ガイド流路形成部７０は、流入開口部７０ａを左側に向けて開口させるように形成されている。
【００６８】
ガイド流路形成部７０は、突出管部６５ｃの下方において、突出管部６５ｃから下方に向けて流入した洗浄水を受けて流入開口部７０ａに導くガイド面７０ｂを有する。ガイド面７０ｂは、流入開口部７０ａへ向けて左下がりに傾斜ないし湾曲した面部分を含む。ガイド流路形成部７０は、流入開口部７０ａを形成する部分として、ガイド面７０ｂをなす右下側面部７０ｃと、前側面部７０ｄとを有する（図１１参照）。
【００６９】
また、流入口形成部材６５には、貯溜空間４１ａを大気に開放させるための大気開放用の孔部６５ｅが形成されている。本実施形態では、大気開放用の孔部６５ｅは、キャップ部６５ａにおける接続管部６５ｂの基部の右側の部位に、前後２箇所に設けられている。
【００７０】
流出口部４３は、下ケース部４５の左側の下部の前側に突設されている。流出口部４３は、ケース部材５１に対して流出口形成部材７２を取り付けることにより構成されている。ケース部材５１は、流出口形成部材７２の取付けを受ける部分として、流出口形成部７３を有する。
【００７１】
流出口形成部７３は、底側突部４９をなす左壁面部４８ｃの下部の前側において、左壁面部４８ｃを略前後方向に貫通するように筒状に形成された貫通管部７３ａを有する。貫通管部７３ａの左壁面部４８ｃからの外側への突出部分に、流出口形成部材７２が取り付けられている。
【００７２】
流出口形成部材７２は、貫通管部７３ａの外側の突出部分に取り付けられる中空状の本体部７２ａを有し、本体部７２ａから、筒状の接続管部７２ｂが突設されている。接続管部７２ｂは、流出配管２９の上流側の接続を受ける部分であり、底側突部４９の前方において、略水平状の管路を形成し、右側に向けて開口している。接続管部７２ｂにより、右方に向かう直線状の排水経路が形成されている。
【００７３】
開放式タンク４０は、タンク本体４１内に溜まった水の水位を検知する水位センサであるフロートセンサ７５を有する。フロートセンサ７５は、上下方向を軸方向とする軸状のセンサ本体部７５ａと、センサ本体部７５ａを貫通させた態様でフランジ状に設けられた円筒状のフロート部７５ｂとを有する。フロートセンサ７５は、タンク本体４１において左側に設けられた深底部４５ｂ内において、本体面部５３から下方に向けて突設されたセンサ取付部７６に支持された状態で設けられている。
【００７４】
フロートセンサ７５は、センサ本体部７５ａにおいて上下２つのリードスイッチを有し、フロート部７５ｂによってタンク本体４１内の水位の変動にともなって上下動する。フロートセンサ７５は、その上下動にともない２つのリードスイッチのオン／オフにより、タンク本体４１内の水位として、最低水位Ｈ１と最高水位Ｈ２を検知するように構成されている（図８参照）。フロートセンサ７５は、センサ本体部７５ａの上端部を本体面部５３に形成された開口部５３ａから外部に臨んで露出させており、リードスイッチからの信号線７５ｃを延出させている。フロートセンサ７５の検出信号は、信号線７５ｃを介して制御部１０に入力される。なお、水位センサとしては、タンク本体４１内の水位を検知することができるものであれば適宜のセンサが用いられる。
【００７５】
フロートセンサ７５による水位検知を用いた給水動作は、例えば次のような態様で行われる。着座検知センサ１２により使用者の着座が検知されると、制御部１０は、止水栓２１を開き、フロートセンサ７５によって最低水位Ｈ１が検知されるまで、開放式タンク４０への給水を行う。そして、操作部１１の操作等による局部の洗浄時には、開放式タンク４０への給水が行われるとともに、洗浄用ポンプ２４が駆動し、洗浄水が吐水ノズル１５へと供給される。ここで、洗浄用ポンプ２４は、タンク本体４１内の水位が最低水位Ｈ１以上であることを条件に駆動し、タンク本体４１内の水位が最高水位Ｈ２に達すると、開放式タンク４０への給水が停止する。
【００７６】
このような開放式タンク４０においては、図８に示すように、貯溜空間４１ａに対する流入口となる突出管部６５ｃの開口端の高さ位置Ｈ０に対し、タンク本体４１内の最高水位Ｈ２は下方に位置している。高さ位置Ｈ０と最高水位Ｈ２との高さの差ΔＨにより、タンク本体４１内においてエアギャップが形成されている。かかるエアギャップにより、洗浄水の供給経路における逆流が防止される。
【００７７】
以上のような構成を備えた開放式タンク４０は、タンク本体４１内の余剰水を外部へ排出するための排出口として、第１排出口８１および第２排出口８２を有する。第１排出口８１および第２排出口８２は、タンク本体４１の内外を連通させるように設けられており、いずれも上方に向けて開口している。また、第１排出口８１および第２排出口８２は、流入口部４２とタンク本体４１内の水面との間にエアギャップが形成されるように設けられている。
【００７８】
第１排出口８１について説明する。第１排出口８１は、タンク本体４１において、左右方向について中央部よりも右側寄りの位置に設けられている。具体的には、第１排出口８１は、左右方向について、下ケース部４５の幅広部４５ａに位置し、前後方向について、前壁面部４８ａと後壁面部４８ｂとの間の中間部に設けられている。第１排出口は、平面視において、流入口部４２の流入開口部７０ａの近傍であって、流入開口部７０ａの左斜め後側に位置している。
【００７９】
第１排出口は、上下両側を開口させた四角筒状の部分であって下ケース部４５の底面部４７を上下方向に貫通する態様で形成された第１オーバーフロー管８３として設けられている。第１オーバーフロー管８３は、上下方向について区分される部分として、底面部４７よりも上側の部分、つまり貯溜空間４１ａ内において底面部４７から上方に突出した上側突出部８３ａと、底面部４７よりも下側の部分、つまり貯溜空間４１ａの外部において底面部４７から下方に突出した下側突出部８３ｂとを有する。第１オーバーフロー管８３は、上下方向についてその大部分を上側突出部８３ａとしている。
【００８０】
第１オーバーフロー管８３は、左右方向を長手方向とする長方形状の横断面形状を有し、上下の開口形状（上開口部８３ｇおよび下開口部８３ｈの開口形状）を長方形状としている。したがって、第１オーバーフロー管８３は、いずれも底面部４７に対して垂直状の壁部である前壁部８３ｃ、後壁部８３ｄ、左壁部８３ｅおよび右壁部８３ｆを有する。第１オーバーフロー管８３は、上下方向の全体について横断面の形状・寸法を一定としている。第１オーバーフロー管８３は、その内周面によって長方形状の流路断面形状をなす上下方向の流路８３ｊを形成している。
【００８１】
第１排出口８１は、貯溜空間４１ａ内で開口した第１オーバーフロー管８３の上開口部８３ｇが水平面に沿うように設けられている。つまり、第１オーバーフロー管８３の上開口部８３ｇは、その開口端面を水平面に沿わせている。第１オーバーフロー管８３は、その配設位置において、上開口部８３ｇの高さが貯溜空間４１ａの上下方向の中央位置より上側に位置するように設けられている。
【００８２】
第１オーバーフロー管８３の下側突出部８３ｂの周囲には、シール部材としてのパッキン８４が設けられている。パッキン８４は、底面部４７の下面側において、下側突出部８３ｂと、下側突出部８３ｂの外側に設けられた突条部８５とにより下側突出部８３ｂの外形に沿って形成された溝部８６に嵌め込まれている。
【００８３】
一方、開放式タンク４０が設置されるベースプレート５ａ側には、下側突出部８３ｂを挿嵌させる四角筒状の排出口部５ｅが設けられている（図９参照）。排出口部５ｅは、ベースプレート５ａの底面部５ｃから上側に突設されており、底面部５ｃを貫通するように上下両側を開口させている。
【００８４】
このような構成において、開放式タンク４０がベースプレート５ａ上に設置されることで、排出口部５ｅは、下側突出部８３ｂを挿嵌させるとともに、上端部を溝部８６に嵌合させ、下ケース部４５とともにパッキン８４を挟持する。これにより、第１オーバーフロー管８３と排出口部５ｅとが水密状に接続され、貯溜空間４１ａ内とケーシング５の下側の外部とを連通させる排水流路が構成されている。つまり、排出口部５ｅの下側の開口部５ｆが、ケーシング５の外部への排出口となる。なお、第１オーバーフロー管８３の下開口部８３ｈは、排出口部５ｅ内に位置している。
【００８５】
また、底面部４７の左側の部分の下面側には、位置決め用の突起８７が下方に向けて突設されている。突起８７は、ベースプレート５ａの底面部５ｃに上向きに突設された筒状の位置決め筒部５ｇに差し込まれる。
【００８６】
第２排出口８２について説明する。第２排出口８２は、タンク本体４１において、左右方向について略中央部に設けられている。したがって、第２排出口８２は、第１排出口８１に対して左方に位置している。
【００８７】
第２排出口８２は、上側を開口させた有底円筒状の部分であって下ケース部４５の底面部４７を上下方向に貫通する態様で形成された第２オーバーフロー管９３を有する。第２オーバーフロー管９３は、タンク本体４１において、前後方向について前側寄りの位置、つまり前壁面部４８ａの近傍の位置に設けられている。第２オーバーフロー管９３は、上下方向について区分される部分として、底面部４７よりも上側の部分、つまり貯溜空間４１ａ内において底面部４７から上方に突出した上側突出部９３ａと、底面部４７よりも下側の部分、つまり貯溜空間４１ａの外部において底面部４７から下方に突出した下側突出部９３ｂとを有する。第２オーバーフロー管９３は、上下方向についてその大部分を上側突出部９３ａとしている。
【００８８】
第２オーバーフロー管９３は、円形状の横断面形状を有し、上側の開口形状（上開口部９３ｇの開口形状）を円形状としている。したがって、第２オーバーフロー管９３は、底面部４７に対して垂直状の円筒状の周壁部９３ｃを有する。また、第２オーバーフロー管９３は、下側突出部９３ｂにおいて第２オーバーフロー管９３の底面部をなす底部９３ｄを有し、下側突出部９３ｂを底面部４７の下側において円筒状に突出させている。第２オーバーフロー管９３は、上下方向の全体について横断面の形状・寸法を一定としている。第２オーバーフロー管９３は、円形状の流路断面形状をなす上下方向の流路９３ｊを形成している。
【００８９】
本実施形態では、第２オーバーフロー管９３の開口面積（流路面積）は、第１オーバーフロー管８３の開口面積（流路面積）よりも小さい。ただし、両オーバーフロー管の開口面積（流路面積）の大小関係は特に限定されない。
【００９０】
第２排出口８２は、貯溜空間４１ａ内で開口した第２オーバーフロー管９３の上開口部９３ｇが水平面に沿うように設けられている。つまり、第２オーバーフロー管９３の上開口部９３ｇは、その開口端面を水平面に沿わせている。第２オーバーフロー管９３は、その配設位置において、上開口部９３ｇの高さが貯溜空間４１ａの上下方向の中央位置より上側に位置するように設けられている。
【００９１】
第２排出口８２は、第２オーバーフロー管９３の下側突出部９３ｂにおける周壁部９３ｃを前後方向に貫通する態様で形成された接続管部９４を有する。接続管部９４は、前後両側を開口させた筒状の部分であり、後側の部分９４ｃを下側突出部９３ｂの内部に突出させており（図１２参照）、前側の部分を前突出部９４ａとして前壁面部４８ａより前方に突出させている。接続管部９４は、その内周面によって円形状の流路断面形状をなす前後方向の流路９４ｂを形成している。
【００９２】
接続管部９４の前突出部９４ａに、排水パイプ９５の一端側が接続されている。排水パイプ９５は、接続管部９４から前方に延設されており、他端側を排出口９５ａとしている。排水パイプ９５は、ベースプレート５ａ上において前後方向に配されており、吐水ノズル１５の左方に位置し、排出口９５ａをベースプレート５ａの円弧部５ｄの中央部近傍に位置させるように延設されている（図３参照）。排水パイプ９５は、平面視で排出口９５ａがベースプレート５ａの開放部５ｈ側に向けて開口するように、他端側（先端側）の端部を屈曲させて排出口９５ａを右側に向けて開口させている。
【００９３】
このように、第２排出口８２については、第２排出口８２を構成する第２オーバーフロー管９３および接続管部９４、並びに接続管部９４に接続された排水パイプ９５により、貯溜空間４１ａ内とケーシング５の内部とを連通させる排水流路が構成されている。
【００９４】
以上のように第１排出口８１および第２排出口８２を有する開放式タンク４０において、第２排出口８２の開口位置の高さは、第１排出口８１の開口位置の高さよりも低くなっている。
【００９５】
図９に示すように、本実施形態において、上下方向の高さ位置に関し、第１排出口８１の開口位置Ｐ１は、第１オーバーフロー管８３の上開口部８３ｇの開口端面の高さ位置である。また、第２排出口８２の開口位置Ｐ２は、第２オーバーフロー管９３の上開口部９３ｇの開口端面の高さ位置である。そして、第２排出口８２の開口位置Ｐ２の高さが、第１排出口８１の開口位置Ｐ１よりも低い位置となっている。第１排出口８１の開口位置Ｐ１は、側壁部４８の上端面４８ｅと略同じ高さとなっている。なお、第１排出口８１の開口位置Ｐ１および第２排出口８２の開口位置Ｐ２は、いずれもタンク本体４１内における最高水位Ｈ２よりも高い位置である（図８参照）。
【００９６】
本実施形態では、タンク本体４１は、第１排出口８１および第２排出口８２の開口位置の高さに関して次のような構成を備える。第１オーバーフロー管８３および第２オーバーフロー管９３が立っている底面部４７の第１底面部４７ａの上面４７ｃは、略水平状の（わずかに左下がりの）面である。第１オーバーフロー管８３および第２オーバーフロー管９３それぞれの上面４７ｃからの突出長さ、つまり上面４７ｃを基準とした上側突出部８３ａおよび上側突出部９３ａそれぞれの高さは、上側突出部９３ａよりも上側突出部８３ａの方が高くなっている。本実施形態では、上側突出部８３ａと上側突出部９３ａの高さの比は約３：２となっている。
【００９７】
また、第２排出口８２は、タンク本体４１の底部に立設された筒状の部分として、底面部４７上に突出した第２オーバーフロー管９３の上側突出部９３ａを有する。上側突出部９３ａは、底面部４７の第１底面部４７ａの上面４７ｃ上に立設された円筒状の部分である。
【００９８】
また、本実施形態では、第１排出口８１も第２排出口８２と同様にタンク本体４１の底部に立設された筒状の部分を有する。かかる筒状の部分は、底面部４７上に突出した第１オーバーフロー管８３の上側突出部８３ａであり、上側突出部８３ａは、第１底面部４７ａの上面４７ｃ上に立設された四角筒状の部分である。
【００９９】
また、本実施形態に係る開放式タンク４０において、タンク本体４１は、流入口部４２と、第１排出口８１および第２排出口８２との間に設けられた整流部としての整流板部９６を有する。
【０１００】
整流板部９６は、貯溜空間４１ａ内を仕切るように、底面部４７に対して垂直状に設けられた板状の部分である。本実施形態では、整流板部９６は、蓋部材５２において、本体面部５３から垂直状に下方に向けて延出しており、樹脂成形品である蓋部材５２の一部としてリブ状に設けられている（図１１参照）。
【０１０１】
整流板部９６は、貯溜空間４１ａを形成する蓋部４６の本体面部５３と下ケース部４５の底面部４７（第１底面部４７ａ）との間において、上下方向について略全体にわたって設けられている。つまり、本体面部５３から下方に向けて延設された整流板部９６は、その下端を底面部４７の上面４７ｃに接触ないし略接触させるように設けられており、貯溜空間４１ａ内において隔壁状の部分を構成する。
【０１０２】
整流板部９６は、タンク本体４１内において、左右方向について幅広部４５ａが形成された部分に設けられている。詳細には、側壁部４８において、全体的に面一状の後壁面部４８ｂに対して、前壁面部４８ａは、幅広部４５ａを形成する右側の壁面部分の上部に、前側に膨出状に突出した膨出部４８ｇを有する。前壁面部４８ａにおいて膨出部４８ｇが形成された部分の右側には面取壁面部４８ｆが形成されている。
【０１０３】
このような側壁部４８の前右側の壁面部分に対向するように、貯溜空間４１ａ内に整流板部９６が設けられている。整流板部９６は、側壁部４８の前右側の壁面部分の形状に沿うように、平面視で所定の屈曲形状を有する。具体的には、整流板部９６は、屈曲形状をなす面部として、横壁面部９６ａ、縦壁面部９６ｂ、および傾斜壁面部９６ｃを有する。
【０１０４】
横壁面部９６ａは、左右方向に平行状な壁面部である。縦壁面部９６ｂは、横壁面部９６ａの左側に設けられ、横壁面部９６ａに対して前側に屈曲し、横壁面部９６ａとともに略直角状をなす壁面部である。傾斜壁面部９６ｃは、横壁面部９６ａの右側に設けられ、横壁面部９６ａに対して後側に鈍角をなすように屈曲した傾斜状の壁面部である。整流板部９６は、これらの壁面部によりなす横断面の形状・寸法を上下方向について略一定としている。
【０１０５】
整流板部９６は、その左側の端部となる縦壁面部９６ｂの前端部を、前壁面部４８ａに接触ないし略接触させている。ここで、縦壁面部９６ｂは、膨出部４８ｇを有する前壁面部４８ａの段差状の壁面形状に沿うように、下部に略「Ｌ」字状の切欠部９６ｄを有する（図１１参照）。一方、整流板部９６は、その右側の端部となる傾斜壁面部９６ｃの右端部を、側壁部４８に対して離間させている。つまり、整流板部９６の右側の端部と側壁部４８との間には、隙間９７が形成されている（図１２参照）。
【０１０６】
整流板部９６は、タンク本体４１内において、流入口部４２の流入開口部７０ａが設けられた部分と、第１オーバーフロー管８３および第２オーバーフロー管９３が設けられた部分とを領域的に仕切るように設けられている。すなわち、整流板部９６の前側に、流入開口部７０ａが左に向けて開口するように形成されており、整流板部９６の横壁面部９６ａの後側に、第１オーバーフロー管８３が設けられており、整流板部９６の横壁面部９６ａと縦壁面部９６ｂの角部の左後方に、第２オーバーフロー管９３が設けられている。特に、第１オーバーフロー管８３は、整流板部９６の横壁面部９６ａと後壁面部４８ｂとの間の略中央部に位置している。なお、流入開口部７０ａをなすガイド流路６９の後側の壁部、つまり前側面部７０ｄに対して後方で略対向する壁部は、整流板部９６の傾斜壁面部９６ｃの一部（左上の角部分）となっている。
【０１０７】
このように、整流板部９６は、タンク本体４１内において、流入開口部７０ａから水が流入する領域９８を、第１オーバーフロー管８３および第２オーバーフロー管９３の配設領域（以下「排出口配設領域」という。）に対して区画するように設けられている（図１２参照）。言い換えると、整流板部９６は、タンク本体４１内において流入開口部７０ａから水が流入する領域９８を、側壁部４８の右前側の部分とともに囲繞するように設けられている。
【０１０８】
以上のような構成を備えた本実施形態に係る開放式タンク４０における水の流れについて説明する。開放式タンク４０に対しては、流入配管２８から供給される水が、流入口部４２における入水流路６５ｄから流入側中空部６７を介してガイド流路６９に流入する（図８、矢印Ｆ１参照）。
【０１０９】
ガイド流路６９に流入した水は、ガイド面７０ｂ上を流れて流入開口部７０ａから貯溜空間４１ａ内に流入する（図８、矢印Ｆ２参照）。ここで、整流板部９６により、タンク本体４１内において、流入開口部７０ａから水が流入する領域９８が排出口配設領域から区画されていることから、タンク本体４１内の貯溜水に対する流入開口部７０ａからの流入水の着水にともなう水跳ねや水面の乱れが排出口配設領域における貯溜水に影響することが抑制される。タンク本体４１内に流入する水については、上述したように、フロートセンサ７５のセンシングによって給水量が制御される。
【０１１０】
一方、貯溜空間４１ａ内の貯溜水は、洗浄用ポンプ２４の駆動により、流出口部４３における排水流路から流出配管２９へと排出される（図７、矢印Ｆ３参照）。タンク本体４１から流出した水は、流出配管２９によりストレーナ３０を介して洗浄用ポンプ２４に導かれ、洗浄用ポンプ２４から熱交換器２５を経て、流路切替弁２６により選択された所定の流路を通って吐水ノズル１５に供給され、所定の吐水孔１５ａから吐出される。
【０１１１】
次に、開放式タンク４０における第１排出口８１および第２排出口８２による作用について説明する。例えば、開放式タンク４０内に流入する水量に対し、洗浄用ポンプ２４の動作によって開放式タンク４０から流出する水量が小さい場合等、タンク本体４１内の水位が上昇して第２排出口８２の開口位置Ｐ２を超えると、タンク内の水が第２オーバーフロー管９３内に流入し、余剰水として外部に排出される。
【０１１２】
第２オーバーフロー管９３内に流入した水は、下側突出部９３ｂ内を介して接続管部９４に流入し、排水パイプ９５により前方に導かれ、排出口９５ａから排出される。排出口９５ａから排出された水は、ベースプレート５ａ上を伝って流れ、開放部５ｈから便器３のボウル部３ａ内へと排出される（図３、矢印Ｇ１参照）。
【０１１３】
また、例えば、開放式タンク４０からの排水量に対して給水量が多いこと等により、タンク内の水位がさらに上昇し、タンク本体４１内の水位が上昇して第１排出口８１の開口位置Ｐ１を超えると、タンク内の水が第１オーバーフロー管８３内に流入し、余剰水として外部に排出される。第１オーバーフロー管８３内に流入した水は、下開口部８３ｈを介してベースプレート５ａの開口部５ｆから下方に向けてケーシング５の外部へと排出される（図９、矢印Ｇ２参照）。
【０１１４】
このように、本実施形態に係る開放式タンク４０は、タンク内の余剰水の排出構造として、タンク内の水位の上昇に関して第１段階としてオーバーフロー部として機能する第２排出口８２と、第２段階としてオーバーフロー部として機能する第１排出口８１とを有し、２段階のオーバーフロー構造を有する。すなわち、タンク内の水位として、第２排出口８２の開口位置Ｐ２が第１のオーバーフロー水位となり、第１排出口８１の開口位置Ｐ１が第２のオーバーフロー水位となり、タンク内の水位が各オーバーフロー水位を超えると、タンク内の洗浄水が第２排出口８２および／または第１排出口８１によりタンク外に排出されることになる。
【０１１５】
そして、これらの排出口のうち高い方の開口位置である第１排出口８１の開口位置Ｐ１は、貯溜空間４１ａに対する流入口となる突出管部６５ｃの開口端の高さ位置Ｈ０に対して下方に位置している。高さ位置Ｈ０と開口位置Ｐ１との高さの差ΔＰ１が、タンク内の余剰水の排出構造についてのエアギャップとなる（図８、図９参照）。すなわち、仮にタンク内の水位が開口位置Ｐ１に達したとしても、第１排出口８１により余剰水が排出されることから、高さの差ΔＰ１によるエアギャップが維持され、洗浄水の供給経路における逆流が防止される。
【０１１６】
同様に、低い方の開口位置である第２排出口８２の開口位置Ｐ２は、高さ位置Ｈ０に対して下方に位置しており、高さ位置Ｈ０と開口位置Ｐ２との高さの差ΔＰ２が、タンク内の余剰水の排出構造についてのエアギャップとなる。すなわち、仮にタンク内の水位が開口位置Ｐ２に達したとしても、第２排出口８２により余剰水が排出されることから、高さの差ΔＰ２によるエアギャップが維持され、洗浄水の供給経路における逆流が防止される。このように、第１排出口８１および第２排出口８２は、流入口部４２とタンク本体４１内の水面との間にエアギャップが形成されるように設けられている。
【０１１７】
以上のような構成の本実施形態に係る開放式タンク４０を備えた衛生洗浄装置２によれば、開放式タンク４０においてタンク内の余剰水の排水性能を向上させることができるとともに、装置のコンパクト化を図ることができる。
【０１１８】
すなわち、本実施形態に係る開放式タンク４０によれば、第１排出口８１および第２排出口８２による２段階のオーバーフロー構造を有することから、単独の排水構造を有する構成との比較において、各オーバーフロー管の開口面積や管径を大きくすることなく、タンク内の酔浄水の排水性能を向上させることができる。
【０１１９】
また、各オーバーフロー管の開口面積や管径の拡大化を抑制できることから、例えば排水パイプ９５等、余剰水を便器のボウル部に導くための排水用の配管について、その流路面積が大きくなることを回避することができる。これにより、衛生洗浄装置２において開放式タンク４０の前側等に配設される各種装置・機器等に対して排水用の配管が干渉することを避けることが容易となり、装置のコンパクト化を実現することができる。
【０１２０】
また、第１排出口８１および第２排出口８２を有する構成によれば、各オーバーフロー管の高さを抑制しながら、タンク内の余剰水を排出するための開口面積を十分に確保することが可能となる。このような点からも、開放式タンク４０の高さ寸法を抑えることができ、装置のコンパクト化を図ることができる。以上のように、本実施形態に係る開放式タンク４０によれば、タンク内の余剰水の排水性能の向上と装置のコンパクト化の両立を実現することが可能となる。
【０１２１】
また、本実施形態に係る開放式タンク４０においては、第２排出口８２の開口位置Ｐ２の高さは、第１排出口８１の開口位置Ｐ１の高さよりも低くなっている。
【０１２２】
このような構成によれば、タンク内の水位の上昇に関し、第１段階として先に第２排出口８２からの排水が行われるので、比較的小さい水位の変動（上昇）によって一度に大量の水が余剰水としてタンク外に排出されることを防止することができる。また、第２排出口８２および第１排出口８１による２段階の排水が行われるので、何等かの原因でタンク内の水位が上昇する際、最初の段階でオーバーフローした水を使用者に気付かせることができる。これにより、タンク内の水位の異常を早期に発見することが可能となる。
【０１２３】
また、本実施形態に係る開放式タンク４０においては、第２排出口８２は、タンク本体４１の底部に立設された筒状の部分を有する。
【０１２４】
このような構成によれば、例えばオーバーフロー口（排水口）としてタンク本体４１の側壁部４８に直接的に開口した開口部を設けた壁孔式の構成との比較において、排水性能の確保が容易となるとともに、開放式タンク４０の小型化を図ることができる。すなわち、壁孔式の構成の場合、排水性能を確保するために開口部を大きくする上で形状的な制約が比較的大きく、また、開口部を大きくすることは、開放式タンク４０の小型化の妨げとなる。この点、本実施形態のように第２排出口８２をタンク内において筒状の部分として上方に開口させた構成とすることにより、排水性能を確保するために開口部を大きくすることが容易となり、しかも開放式タンク４０の小型化を容易に図ることが可能となる。結果として、衛生洗浄装置２のコンパクト化に寄与することができる。
【０１２５】
特に、本実施形態に係る開放式タンク４０においては、第２排出口８２に加え、第１排出口８１も、上方に向けて開口した筒状の部分を有する。このような構成によれば、タンク内の余剰水を排出するための構成における排水性能をより向上させることができるとともに、装置のコンパクト化を効果的に図ることができる。
【０１２６】
また、第２排出口８２は、第２オーバーフロー管９３の上開口部９３ｇの開口形状を円形状とするとともに、開口端面を水平面に沿わせている。このような構成によれば、タンク内の水位が上昇する過程において、第２オーバーフロー管９３に対して、その上開口部９３ｇの全周から同時的かつ均等に水が流入することになるため、良好な排水性能を得ることができる。
【０１２７】
また、本実施形態に係る開放式タンク４０において、タンク本体４１は、流入口部４２と、第１排出口８１および第２排出口８２との間に設けられた整流板部９６を有する。
【０１２８】
このような構成によれば、流入口部４２からタンク本体４１内に流入する水が整流部によって整流されることから、タンク本体４１内の水位を安定させることができる。また、タンク本体４１内の貯溜水に対する流入開口部７０ａからの流入水の着水にともなう水跳ねや水面の乱れが排出口配設領域における貯溜水に影響することを抑制することができる。
【０１２９】
したがって、整流板部９６を設けた構成によれば、タンク本体４１内の貯溜水に対する流入水の着水にともなう水跳ねや水面の乱れにより、タンク内への水の供給にともなって第１オーバーフロー管８３や第２オーバーフロー管９３に水が入ってしまうことを防止することができる。これにより、タンク内の全体的な水位の上昇とは無関係に第１排出口８１や第２排出口８２から排水が行われることを防ぐことができる。
【０１３０】
第１排出口８１および第２排出口８２において、流路内にスケールが付着・堆積することは、流路を閉塞して排水性能を低下させる原因となる。このため、排水流路内にスケールが付着・堆積することを避ける観点から、タンク内の水位が全体的に過度に上昇する異常時以外は、可能な限り第１排出口８１および第２排出口８２には水が入らないことが好ましい。そこで、整流板部９６を設けた構成により、第１排出口８１や第２排出口８２に水が入ることを防ぐことができ、スケールの付着・堆積による排水性能の低下を防ぐことができる。
【０１３１】
以上のように実施形態を用いて説明した本発明に係る衛生洗浄装置は、上述した実施形態に限定されず、本発明の趣旨に沿う範囲で、種々の態様を採用することができる。
【０１３２】
上述した実施形態においては、第１排出口８１の上方の開口形状は長方形状であり、第２排出口８２の上方の開口形状は円形状であるが、これらの開口形状は特に限定されない。したがって、これらの排出口の開口形状は、三角形状や六角形状等の他の多角形状や楕円形状等であってもよい。
【０１３３】
また、上述した実施形態においては、整流部としての整流板部９６は、蓋部４６をなす蓋部材５２の一部として形成されたものであるが、このような構成に限定されるものではない。整流部としては、下ケース部４５をなすケース部材５１の一部として設けられたものであったり、ケース部材５１および蓋部材５２とは別体の部材により構成されたものであったりしてもよい。
【０１３４】
また、上述した実施形態において、第１排出口８１による排水流路の下流側は、直接的にベースプレート５ａの下方に向けて開口しており、第２排出口８２による排水経路の下流側は、下ケース部４５の前方に向けて開口するとともに排水パイプ９５によって前方に延設されているが、各排出口による排水流路の構成は特に限定されない。両方の排水流路が第１排出口８１のように下方に向けて開口した構成であってもよく、両方の排水流路が第２排出口８２のように前方に向けて開口した構成であってもよい。
【０１３５】
ただし、タンク内の水位の上昇において、より高い水位で排水を行う第１排出口８１は、第２排出口８２に対して予備的な排水口として設けられているものであるため、第２排出口８２による排水流路は、上述した実施形態のように、下ケース部４５の前方に向けて開口するとともに排水パイプ９５によって前方に延設された構成であることが好ましい。これにより、第１排出口８１によって排水が行われる緊急時以外は、第２排出口８２および排水パイプ９５により、タンク内の余剰水を、便器３のボウル部３ａ内に排出することができる。また、第１排出口８１については、排水流路の下流側を直接的にベースプレート５ａの下方に向けて開口させた構成であることから、第１排出口８１による排水流路に排水パイプを設ける必要がないため、装置の小型化を図ることができる。
【符号の説明】
【０１３６】
１      トイレ装置
２      衛生洗浄装置
１５    吐水ノズル
２０    給水源
４０    開放式タンク
４１    タンク本体
４２    流入口部
４３    流出口部
７０ａ  流入開口部
８１    第１排出口
８２    第２排出口
８３    第１オーバーフロー管
８３ｇ  上開口部
９３    第２オーバーフロー管
９３ａ  上側突出部
９３ｇ  上開口部
９６    整流板部（整流部）
【図１】
2020051211.tif 000003
【図２】
2020051211.tif 000004
【図３】
2020051211.tif 000005
【図４】
2020051211.tif 000006
【図５】
2020051211.tif 000007
【図６】
2020051211.tif 000008
【図７】
2020051211.tif 000009
【図８】
2020051211.tif 000010
【図９】
2020051211.tif 000011
【図１０】
2020051211.tif 000012
【図１１】
2020051211.tif 000013
【図１２】
2020051211.tif 000014